(57)【要約】【課題】放送番組に興味のあるユーザを誘導する端末連携制御を行う。【解決手段】テレビ受信機１は、複数の携帯端末５０の夫々に対応付けて、当該携帯端末のユーザの属性情報を記憶する記憶部４と、放送又は通信を介して受信した放送コンテンツに端末連携を指示する指示情報が対応付けられているか否かを判定する第１判定部２４と、複数のユーザの中に放送コンテンツの属性情報に対応する属性情報を有するユーザが存在するか否かを判定する第２判定部２５と、第１判定部２４により指示情報が対応付けられていると判定され、且つ、第２判定部２５により放送コンテンツの属性情報に対応する属性情報を有するユーザが存在すると判定されることを条件に、当該ユーザの携帯端末５０に対して、端末連携に対応する放送コンテンツが開始したことを通知する通知部２６と、を備える。【選択図】図３
2015186017.tif 000002
【特許請求の範囲】
【請求項１】
複数の携帯端末の夫々に対応付けて、当該携帯端末のユーザの属性情報を記憶する記憶部と、
放送又は通信を介して、放送コンテンツを含む信号を受信する受信部と、
受信した前記放送コンテンツに、端末連携を指示する指示情報が対応付けられているか否かを判定する第１判定部と、
受信した前記放送コンテンツの属性情報を特定する番組属性特定部と、
複数の前記ユーザの中に特定した前記放送コンテンツの属性情報に対応する属性情報を有するユーザが存在するか否かを判定する第２判定部と、
前記第１判定部により前記指示情報が対応付けられていると判定され、且つ、前記第２判定部により前記放送コンテンツの属性情報に対応する属性情報を有するユーザが存在すると判定されることを条件に、当該ユーザの前記携帯端末に対して、端末連携に対応する放送コンテンツが開始したことを通知する通知部と、
を備える受信装置。
【請求項２】
前記携帯端末で実行されたアプリケーションの種別、及び当該アプリケーションの実行中に行われた操作を示す操作情報を、前記携帯端末から取得する取得部と、
取得した前記種別及び前記操作情報に基づいて、前記ユーザの属性情報を特定するユーザ属性特定部と、
を更に備える請求項１に記載の受信装置。
【請求項３】
前記アプリケーションには、放送コンテンツと連携する連携アプリケーションが含まれ、
前記ユーザ属性特定部は、前記連携アプリケーションに対する操作情報に基づいて、当該連携アプリケーションと連携する放送コンテンツに対して所定の重みづけをして前記ユーザの属性情報を特定する、
請求項２に記載の受信装置。
【請求項４】
受信した前記放送コンテンツを出力する出力部を更に備え、
前記ユーザ属性特定部は、前記放送コンテンツの出力中における当該放送コンテンツと連携する連携アプリケーション以外のアプリケーションに対する操作情報に基づいて、出力中の前記放送コンテンツに対して所定の重みづけをして前記ユーザの属性情報を特定する、
請求項２又は３に記載の受信装置。
【請求項５】
前記通知部は、複数の前記携帯端末のうち前記放送コンテンツの属性情報に対応する属性情報を有するユーザの携帯端末以外の携帯端末に対しては、前記ユーザの携帯端末に対する通知頻度よりも低い頻度で、前記通知を行う、
請求項１から４のいずれかに記載の受信装置。
【請求項６】
放送又は通信を介して番組コンテンツを含む放送信号を受信する受信装置と、当該受信装置と無線通信可能に接続された複数の携帯端末とを備える端末連携システムであって、
携帯端末に対応付けて、当該携帯端末のユーザの属性情報を記憶する記憶部と、
放送又は通信を介して、放送コンテンツを含む信号を受信する受信部と、
受信した前記放送コンテンツに、端末連携を指示する指示情報が対応付けられているか否かを判定する第１判定部と、
受信した前記放送コンテンツの属性情報を特定する番組属性特定部と、
複数の前記ユーザの中に特定した前記放送コンテンツの属性情報に対応する属性情報を有するユーザが存在するか否かを判定する第２判定部と、
前記第１判定部により前記指示情報が対応付けられていると判定され、且つ、前記第２判定部により前記放送コンテンツの属性情報に対応する属性情報を有するユーザが存在すると判定されることを条件に、当該ユーザの前記携帯端末において、端末連携に対応する放送コンテンツが開始したことを通知する通知部と、
を備える端末連携システム。
【請求項７】
コンピュータが実行する、
放送又は通信を介して、放送コンテンツを含む信号を受信するステップと、
受信した前記放送コンテンツに、端末連携を指示する指示情報が対応付けられているか否かを判定する第１判定ステップと、
受信した前記放送コンテンツの属性情報を特定するステップと、
複数のユーザの中に特定した前記放送コンテンツの属性情報に対応する属性情報を有するユーザが存在するか否かを判定する第２判定ステップと、
前記第１判定ステップにより前記指示情報が対応付けられていると判定され、且つ、前記第２判定ステップにより前記放送コンテンツの属性情報に対応する属性情報を有するユーザが存在すると判定されることを条件に、当該ユーザの携帯端末において、端末連携に対応する放送コンテンツが開始したことを通知するステップと、
を含む端末連携方法。
【発明の詳細な説明】
【技術分野】
【０００１】
本発明は、放送コンテンツに応じて携帯端末との連携を行う受信装置、端末連携システム及び端末連携方法に関する。
【背景技術】
【０００２】
デジタル放送の普及に伴い放送と通信との融合が実現され、近年では、ハイブリッドキャスト（登録商標）と呼ばれるサービスが提供されている。ハイブリッドキャストでは、放送の特徴である同報性と、通信の特徴である個別対応性との双方を満たしたサービスを提供することができる。
【０００３】
また、ハイブリッドキャストでは、テレビ受信機と外部の情報処理端末とを連携する端末連携制御が想定されている。端末連携制御として、例えば特許文献１には、テレビ受信機で所定の放送信号を受信することを契機として、テレビ受信機と予めペアリングが済んでいる情報処理端末において自動的に端末連携制御を実行する端末連携システムが開示されている。
このような端末連携システムによれば、ハイブリッドキャストに対応した放送番組が開始すると、ペアリング済みの情報処理端末において自動的に端末連携制御を実行させる仕組みが実現できるため、その場合、放送番組を視聴していないユーザも放送番組に誘導することができ好適である。
【先行技術文献】
【特許文献】
【０００４】
【特許文献１】特開２０１２−２４４３３９号公報
【発明の概要】
【発明が解決しようとする課題】
【０００５】
ところで、スマートフォンの普及に伴い多くのユーザが情報処理端末を所持する状況では、テレビ受信機の周囲に、放送番組を視聴するユーザの情報処理端末だけでなく他の情報処理端末が存在する場合がある。このような場合に、特許文献１の端末連携システムのようにペアリングの済んでいる全ての情報処理端末において自動的に端末連携制御を行ったのでは、ユーザにとって興味のない放送番組であっても、当該ユーザの情報処理端末において端末連携アプリケーションを起動してしまう。このような興味のない放送番組に対して誘導が行われたとしても、ユーザにとってみれば迷惑であり、却ってユーザの利便性を損ねてしまう。
【０００６】
本発明は、このような問題に鑑みてなされたものであり、放送番組に興味のあるユーザを放送番組に誘導する端末連携制御が可能な受信装置、端末連携システム及び端末連携方法を提供する。
【課題を解決するための手段】
【０００７】
本発明の第１の態様においては、複数の携帯端末の夫々に対応付けて、当該携帯端末のユーザの属性情報を記憶する記憶部と、放送又は通信を介して、放送コンテンツを含む信号を受信する受信部と、受信した前記放送コンテンツに、端末連携を指示する指示情報が対応付けられているか否かを判定する第１判定部と、受信した前記放送コンテンツの属性情報を特定する番組属性特定部と、複数の前記ユーザの中に特定した前記放送コンテンツの属性情報に対応する属性情報を有するユーザが存在するか否かを判定する第２判定部と、前記第１判定部により前記指示情報が対応付けられていると判定され、且つ、前記第２判定部により前記放送コンテンツの属性情報に対応する属性情報を有するユーザが存在すると判定されることを条件に、当該ユーザの前記携帯端末に対して、端末連携に対応する放送コンテンツが開始したことを通知する通知部と、を備える受信装置を提供する。
【０００８】
また、前記携帯端末で実行されたアプリケーションの種別、及び当該アプリケーションの実行中に行われた操作を示す操作情報を、前記携帯端末から取得する取得部と、取得した前記種別及び前記操作情報に基づいて、前記ユーザの属性情報を特定するユーザ属性特定部と、を更に備えることとしてもよい。
【０００９】
また、前記アプリケーションには、放送コンテンツと連携する連携アプリケーションが含まれ、前記ユーザ属性特定部は、前記連携アプリケーションに対する操作情報に基づいて、当該連携アプリケーションと連携する放送コンテンツに対して所定の重みづけをして前記ユーザの属性情報を特定することとしてもよい。
【００１０】
また、受信した前記放送コンテンツを出力する出力部を更に備え、前記ユーザ属性特定部は、前記放送コンテンツの出力中における当該放送コンテンツと連携する連携アプリケーション以外のアプリケーションに対する操作情報に基づいて、出力中の前記放送コンテンツに対して所定の重みづけをして前記ユーザの属性情報を特定することとしてもよい。
【００１１】
また、前記通知部は、複数の前記携帯端末のうち前記放送コンテンツの属性情報に対応する属性情報を有するユーザの携帯端末以外の携帯端末に対しては、前記ユーザの携帯端末に対する通知頻度よりも低い頻度で、前記通知を行うこととしてもよい。
【００１２】
本発明の第２の態様においては、放送又は通信を介して番組コンテンツを含む放送信号を受信する受信装置と、当該受信装置と無線通信可能に接続された複数の携帯端末とを備える端末連携システム提供する。この端末連携システムは、携帯端末に対応付けて、当該携帯端末のユーザの属性情報を記憶する記憶部と、放送又は通信を介して、放送コンテンツを含む信号を受信する受信部と、受信した前記放送コンテンツに、端末連携を指示する指示情報が対応付けられているか否かを判定する第１判定部と、受信した前記放送コンテンツの属性情報を特定する番組属性特定部と、複数の前記ユーザの中に特定した前記放送コンテンツの属性情報に対応する属性情報を有するユーザが存在するか否かを判定する第２判定部と、前記第１判定部により前記指示情報が対応付けられていると判定され、且つ、前記第２判定部により前記放送コンテンツの属性情報に対応する属性情報を有するユーザが存在すると判定されることを条件に、当該ユーザの前記携帯端末において、端末連携に対応する放送コンテンツが開始したことを通知する通知部と、を備える。
【００１３】
本発明の第３の態様においては、コンピュータが実行する、放送又は通信を介して、放送コンテンツを含む信号を受信するステップと、受信した前記放送コンテンツに、端末連携を指示する指示情報が対応付けられているか否かを判定する第１判定ステップと、受信した前記放送コンテンツの属性情報を特定するステップと、複数のユーザの中に特定した前記放送コンテンツの属性情報に対応する属性情報を有するユーザが存在するか否かを判定する第２判定ステップと、前記第１判定ステップにより前記指示情報が対応付けられていると判定され、且つ、前記第２判定ステップにより前記放送コンテンツの属性情報に対応する属性情報を有するユーザが存在すると判定されることを条件に、当該ユーザの携帯端末において、端末連携に対応する放送コンテンツが開始したことを通知するステップと、を含む端末連携方法を提供する。
【発明の効果】
【００１４】
本発明によれば、複数の携帯端末のうち放送コンテンツに興味のあるユーザが所有する携帯端末に対して端末連携に関する通知を行うため、放送コンテンツに興味のあるユーザを放送コンテンツに誘導することができる。
【図面の簡単な説明】
【００１５】
【図１】端末連携システムのシステム構成を示す図である。
【図２Ａ】本発明の端末連携システムの概要を示す図である。
【図２Ｂ】端末連携制御に関するテレビ受信機と携帯端末とのソフトウェア構成例を示す図である。
【図３】テレビ受信機と携帯端末との機能構成を示すブロック図である。
【図４】記憶部に記憶される各種情報の一例を示す図である。
【図５】記憶部に記憶される各種情報の一例を示す図である。
【図６Ａ】ユーザ属性特定部によるユーザの属性情報の特定方法の一例を示す図である。
【図６Ｂ】ユーザ属性特定部によるユーザの属性情報の特定方法の一例を示す図である。
【図７】通知部による通知に基づく携帯端末の表示例を示す図である。
【図８】テレビ受信機の処理の流れを示すフローチャートである。
【図９】テレビ受信機の処理の流れを示すフローチャートである。
【図１０】別態様における端末連携システムの処理の流れを示すフローチャートである。
【発明を実施するための形態】
【００１６】
［端末連携システムＳの概要］
初めに、図１及び図２を参照して、本発明の概要について説明する。図１は、端末連携システムＳのシステム構成を示す図であり、図２は、本発明の概要を示す図である。
図１に示すように、端末連携システムＳは、テレビ受信機１と、放送局３０と、複数の携帯端末５０と、を含んで構成される。
【００１７】
放送局３０は、放送設備や通信設備を用いて、放送コンテンツを含む放送信号を任意の方法で伝送する。放送設備は、デジタル放送又はケーブルテレビ放送用の放送設備であり、放送信号を放送波に重畳し放送用アンテナ又は光ケーブル等を介して伝送する。通信設備は、ＶＯＤ（Video  On  Demand）配信用、又は、ハイブリッドキャストコンテンツ（ＨＴＭＬ５で記述されたコンテンツ）配信用の通信設備であり、放送信号又はハイブリッドキャストコンテンツをインターネットを介して伝送する。
なお、放送信号には、放送コンテンツに加え、放送コンテンツを補完等する各種デジタルデータやハイブリッドキャストを起動するための信号等が含まれる。また、放送コンテンツは、放送番組やＶＯＤ配信による番組の内容を示すコンテンツであり、映像や音声を含んで構成される。
【００１８】
携帯端末５０は、スマートフォン、携帯電話機、タブレット、及びゲーム機等であり、テレビ受信機１と予めペアリングされた端末装置である。携帯端末５０は、インターネットに接続可能であるとともに、ペアリング済みのテレビ受信機１と無線通信可能に接続される。
なお、携帯端末５０によるインターネットへの接続は、３Ｇ回線等の携帯電話回線を介して行うこととしてもよく、また、無線ＬＡＮアクセスポイントを介して行うこととしてもよい。この場合、テレビ受信機１が無線ＬＡＮアクセスポイントとして機能することとしてもよく、また、図示しない無線ＬＡＮアクセスポイントを別途設けることとしてもよい。
【００１９】
テレビ受信機１は、本発明の受信装置に相当し、セットトップボックス１Ａと表示装置１Ｂとを含んで構成される。テレビ受信機１は、放送局３０から伝送される放送コンテンツをユーザに対して表示する。また、テレビ受信機１は、インターネットに接続可能であるとともに、ペアリング済みの携帯端末５０と無線通信可能に接続される。
【００２０】
セットトップボックス１Ａは、放送局３０から伝送される放送信号を受信し、映像及び音声等の信号に変換して表示装置１Ｂに出力する。また、セットトップボックス１Ａは、無線ＬＡＮアクセスポイントとして機能する。
表示装置１Ｂは、本発明の出力部として機能する。表示装置１Ｂは、液晶ディスプレイや有機ＥＬ（Electro-Luminescence）ディスプレイ等により構成され、セットトップボックス１Ａから出力された放送コンテンツを表示する。
【００２１】
なお、テレビ受信機１は、夫々別体として設けられたセットトップボックス１Ａと表示装置１Ｂとにより構成されることとしてもよく、また、セットトップボックス１Ａと表示装置１Ｂとが一体となって構成されることとしてもよい。
以下においては、セットトップボックス１Ａと表示装置１Ｂとが一体となって構成されるテレビ受信機１を例にとり、実施形態について説明する。
【００２２】
以上のような構成の端末連携システムＳにおいて、テレビ受信機１は、放送コンテンツを表示中に携帯端末５０との端末連携を指示する指示情報を取得すると、ペアリング済みの携帯端末５０に対して、端末連携に対応する放送コンテンツが開始したことを通知する。
このとき、テレビ受信機１は、ペアリング済みの携帯端末５０のうち表示中の放送コンテンツに興味のあるユーザが所有する携帯端末５０に対して、端末連携に対応する放送コンテンツが開始したことを通知する。
【００２３】
ここで、図２Ａを参照して、テレビ受信機１において放送コンテンツ「サッカー中継」が表示されている場合を例にとり、具体的に説明する。
図２Ａに示すように、テレビ受信機１と無線通信可能な範囲には、テレビ受信機１とペアリング済みの携帯端末５０Ａ，５０Ｂが存在している。携帯端末５０Ａのユーザは、スポーツに興味のあるユーザであり、携帯端末５０Ｂのユーザは、スポーツに興味のないユーザである。
【００２４】
表示中の放送コンテンツが「サッカー中継」であるため、携帯端末５０Ａのユーザは、放送コンテンツに興味があると捉えることができる一方で、携帯端末５０Ｂのユーザは、放送コンテンツに興味がないと捉えることができる。そこで、「サッカー中継」が端末連携に対応する放送コンテンツである場合、テレビ受信機１は、携帯端末５０Ａに対して端末連携サービスが開始したことを通知する一方で、携帯端末５０Ｂに対しては端末連携サービスが開始したことの通知を抑える。
【００２５】
これにより、例えば、携帯端末５０Ａのユーザがテレビ受信機１と別室にいる等のように放送コンテンツを視聴していない場合であっても、携帯端末５０Ａを介して通知が行われるため、携帯端末５０Ａのユーザをテレビ受信機１で表示中の放送コンテンツに誘導することができる。
一方で、放送コンテンツに興味のない携帯端末５０Ｂのユーザに対しては、通知を行わない又は通知頻度を減らすことで、不要な通知を抑えることができ、携帯端末５０Ｂのユーザの利便性を損ねることを防止できる。
【００２６】
なお、端末連携制御は、テレビ受信機１及び携帯端末５０が有する所定機能に基づいて行われ、例えば、ハイブリッドキャスト放送である場合には、図２Ｂに示すように、携帯端末５０の連携端末基本機能と、テレビ受信機１の受信機基本機能とにより、端末連携制御が行われる。
具体的には、テレビ受信機１が端末連携を指示する指示情報を取得すると、テレビ受信機１が受信機基本機能を通じて、ペアリング済みの携帯端末５０の連携端末基本機能に通知を出す。この通知に伴い携帯端末５０においてコンパニオンアプリが自動的に起動することで、端末連携制御が行われる。
【００２７】
［本発明の機能構成］
続いて、図３を参照して、テレビ受信機１及び携帯端末５０の構成について説明する。図３は、テレビ受信機１及び携帯端末５０の機能構成を示すブロック図である。
【００２８】
［携帯端末５０の構成］
初めに、携帯端末５０は、制御部５１と、無線部５２と、表示部５３と、記憶部５４と、を含んで構成される。
制御部５１は、例えば、ＣＰＵにより構成される。制御部５１は、記憶部５４に記憶されている各種プログラムを実行することにより、携帯端末５０に係る機能を統括的に制御する。
【００２９】
無線部５２は、Ｗｉ−Ｆｉ（登録商標）等の無線通信回線を介して他の端末装置との間で所定の通信を行う。一例として、無線部５２は、無線通信回線を介してテレビ受信機１と通信可能に接続され、任意のタイミングでテレビ受信機１に対して操作履歴等を送信するとともに、テレビ受信機１から端末連携に対応する放送コンテンツが開始したことの通知を受信する。
ここで、操作履歴は、携帯端末５０において実行されたアプリケーションの種別、及び当該アプリケーションの実行中に行われた操作を示す操作情報を含む。なお、アプリケーションに対する操作としては、タッチ操作の内容、タッチ操作の回数、入力されたメッセージの内容、及びアプリケーションの起動・終了操作等が代表的な一例として挙げられる。
【００３０】
表示部５３は、例えば、液晶ディスプレイや有機ＥＬ（Electro-Luminescence）ディスプレイ等により構成される。表示部５３は、制御部５１の制御に応じて文字や図形等を表示する。
記憶部５４は、例えば、ＲＯＭ及びＲＡＭ等により構成される。記憶部５４は、携帯端末５０を機能させるための各種プログラムや各種データを記憶する。また、記憶部５４は、携帯端末５０において実行されたアプリケーションの操作履歴を一時的に記憶する。
【００３１】
記憶部５４に記憶された操作履歴は、任意のタイミングで読み出され、無線部５２を介してテレビ受信機１に送信される。もちろん、操作履歴を記憶部５４に一時的に記憶することなく、携帯端末５０においてアプリケーションが実行される度にテレビ受信機１に対して送信することとしてもよい。
【００３２】
［テレビ受信機１の構成］
テレビ受信機１は、制御部２と、無線部３と、記憶部４と、上述した表示装置１Ｂと、放送受信部５と、通信部６と、を含んで構成される。
【００３３】
無線部３は、Ｗｉ−Ｆｉ等の無線通信回線を介して他の端末装置との間で所定の通信を行う。一例として、無線部３は、無線通信回線を介して複数の携帯端末５０の夫々と通信可能に接続され、近傍の携帯端末５０に対して端末連携に対応する放送コンテンツが開始したことを通知するとともに、夫々の携帯端末５０からアプリケーションの操作履歴を受信する。また、無線部３は、通信部６を介して取得したコンテンツを携帯端末５０に送信する。
【００３４】
記憶部４は、例えば、ＲＯＭ及びＲＡＭ等により構成される。記憶部４は、テレビ受信機１を機能させるための各種プログラムや各種データを記憶する。また、記憶部４は、携帯端末５０のユーザが視聴した放送コンテンツの視聴履歴、携帯端末５０から受信した操作履歴、及び携帯端末５０のユーザの属性情報を記憶する。
【００３５】
ここで、記憶部４に記憶される視聴履歴、操作履歴及び属性情報の一例を図４及び図５に示す。図４（Ａ）は、記憶部４に記憶される視聴履歴の一例を示し、図４（Ｂ）は、記憶部４に記憶される操作履歴の一例を示し、図５は、記憶部４に記憶される属性情報の一例を示す。
なお、図４では、理解を容易にするため端末ＩＤに紐づけて各種情報を記憶することとしている。ここで、記憶部４に記憶される各種情報は、ユーザの属性情報を特定するために用いられる。そのため、各種情報は、端末ＩＤではなくユーザＩＤに紐づけ記憶することとしてもよい。これにより、複数の携帯端末５０を保有するユーザの属性情報も適切に特定することができる。
【００３６】
図４（Ａ）に示すように、記憶部４は、携帯端末５０を識別する端末ＩＤに対応付けて、ユーザが視聴した放送コンテンツを識別する情報（例えば、番組名、チャンネル、放送局名等）、ユーザが当該放送コンテンツを視聴した日時、及び当該放送コンテンツのカテゴリ等を記憶する。このとき、記憶部４は、ユーザが所定の時間（例えば５分以上）にわたって連続して視聴した場合の視聴履歴を記憶する。
なお、放送コンテンツのカテゴリは、放送局３０から受信した放送信号に含まれる番組識別情報（ＳＩ情報）に基づいて特定することができ、例えば、放送コンテンツの大分類、中分類及び小分類を示すカテゴリを含む。
【００３７】
ここで、放送コンテンツを視聴しているユーザの特定は、任意の方法により行うことができる。一例として、テレビ受信機１は、放送コンテンツを表示中の携帯端末５０との間の電波強度に基づいて視聴ユーザを特定することができる。即ち、電波強度が所定以上である携帯端末５０は、テレビ受信機１の近傍に位置しているため、当該携帯端末５０のユーザは放送コンテンツを視聴していると特定する。
また、テレビ受信機１は、テレビ受信機１のリモコンとして用いられている携帯端末５０のユーザを、放送コンテンツを視聴しているユーザとして特定することとしてもよい。一例として、コンパニオンアプリ（図２Ｂ参照）が起動している携帯端末５０は、テレビ受信機１のリモコンとして用いられるため、テレビ受信機１は、コンパニオンアプリの起動の有無に基づいて、放送コンテンツを視聴しているユーザを特定する。
【００３８】
テレビ受信機１は、このように特定したユーザ（携帯端末５０）に対して、視聴された放送コンテンツ、視聴日時及び放送コンテンツのカテゴリを紐づけることで、視聴履歴を記憶部４に記憶する。
なお、携帯端末５０においてユーザの視聴履歴を個別に管理しておき、任意のタイミングで携帯端末５０からテレビ受信機１に送信することで、記憶部４に視聴履歴を記憶する構成としてもよい。この場合において、携帯端末５０では視聴履歴の一部、例えば、視聴日時のみを管理することとし、テレビ受信機１において管理する他の情報と紐づけることで、図４に示す視聴履歴を記憶部４に記憶することとしてもよい。
【００３９】
図４（Ｂ）に示すように、記憶部４は、携帯端末５０を識別する端末ＩＤに対応付けて、当該携帯端末５０においてアプリケーションが操作された日時、操作されたアプリケーションの種別を示すＡＰ種別、当該アプリケーションのカテゴリを示すＡＰカテゴリ、及び当該アプリケーションに対する操作内容を示す操作情報等を記憶する。
【００４０】
本実施形態では、携帯端末５０において実行されるアプリケーションを、「端末連携」「ＳＮＳ」「その他」という３つのカテゴリに分類する。カテゴリ「端末連携」は、ハイブリッドキャスト放送の端末連携サービスに伴い携帯端末５０において取得され実行されるアプリケーション（図２Ｂの携帯端末側のＨＴＭＬアプリ）のカテゴリであり、放送コンテンツと連携する連携アプリケーションは、カテゴリ「端末連携」に属する。また、カテゴリ「ＳＮＳ」「その他」は、端末連携サービスとは関係なく携帯端末５０において実行されるアプリケーションのカテゴリである。これらカテゴリのうちカテゴリ「ＳＮＳ」は、他のユーザとの間でメッセージ等のやり取りを行うアプリケーションのカテゴリを示し、カテゴリ「その他」は、その他の任意のアプリケーション（例えば、ゲーム等）のカテゴリを示す。
【００４１】
図５に示すように、記憶部４は、携帯端末５０を識別する端末ＩＤに対応付けて、当該携帯端末５０のユーザの属性情報を記憶する。本実施形態では、ユーザの属性情報として、放送コンテンツのカテゴリに対する関心度を用いることとしている。なお、図５では、大分類のカテゴリに対する関心度のみを示し、中分類及び小分類に対する関心度は省略している。
関心度は、後述するユーザ属性特定部２２が視聴履歴及び操作履歴に基づいて算出するユーザ毎の放送コンテンツに対する関心度合いを示す指標である。関心度は、所定の規則に基づき正規化され、全てのカテゴリに対する関心度の合計値が１になるように算出される。本実施形態では、関心度が大きければ大きいほど、ユーザが、そのカテゴリに高い関心を持っていることを示している。そのため、例えば、端末ＩＤ「１」のユーザは、スポーツ（関心度「０．５」）に対して興味が高く、映画、ニュース（関心度「０．０」）に対して興味が低いことが分かる。
【００４２】
テレビ受信機１では、記憶部４にユーザ毎の属性情報を記憶しておき、記憶部４に記憶された情報を元にマルチユーザ管理を行いつつ、各ユーザへの通知を制御する。
【００４３】
図３に戻り、放送受信部５及び／又は通信部６は、本発明の受信部として機能する。
具体的には、放送受信部５は、放送網やケーブルテレビ回線を介して放送局３０から伝送される放送信号を受信する。放送受信部５が受信した放送信号は制御部２に供給され、制御部２において、映像データ、音声データ、データ放送や字幕データ等の各種データに分離されるとともに、適宜デコード処理等が行われ、放送コンテンツとして表示装置１Ｂから出力される。
通信部６は、インターネットを介して外部機器と接続され、外部機器との間で所定の通信を行う。一例として、通信部６は、インターネットを介して放送局３０の通信設備からＶＯＤコンテンツを取得するとともに、図示せぬ外部サーバからハイブリッドキャスト放送で用いられるＨＴＭＬ５コンテンツを取得する。
【００４４】
制御部２は、例えば、ＣＰＵにより構成される。制御部２は、記憶部４に記憶されている各種プログラムを実行することにより、テレビ受信機１に係る機能を統括的に制御し、取得部２１、ユーザ属性特定部２２、番組属性特定部２３、第１判定部２４、第２判定部２５及び通知部２６として機能する。
【００４５】
取得部２１は、無線部３を介して、複数の携帯端末５０の夫々から操作履歴を取得する。また、取得部２１は、複数の携帯端末５０の夫々から視聴履歴又は視聴履歴の一部（例えば、視聴日時）を取得することとしてもよい。
取得部２１は、携帯端末５０の夫々から取得した各種情報を、携帯端末５０を識別する端末ＩＤに対応付けて記憶部４に記憶する。
【００４６】
ユーザ属性特定部２２は、操作履歴（即ち、携帯端末５０で実行されたアプリケーションの種別及び当該アプリケーションにおける操作情報）に基づいて、当該携帯端末５０のユーザの属性情報を特定する。より具体的には、ユーザ属性特定部２２は、操作履歴と視聴履歴とを結び付け、放送コンテンツのカテゴリに対するユーザの関心度を特定する。
【００４７】
上述のように、端末連携システムＳでは、端末連携に対応する放送コンテンツが開始した場合に、当該放送コンテンツに興味のないユーザへの不要な通知を抑え、興味のあるユーザの携帯端末５０に対して端末連携サービスが開始したことを通知する。
そのため、端末連携システムＳでは、放送コンテンツに対するユーザの関心度（属性情報）を適切に特定する必要がある。
【００４８】
ここで、近年では、放送コンテンツを視聴しながら他の操作を行う「ながら視聴」といった視聴態様が拡大しているため、視聴履歴として得られた放送コンテンツとユーザの興味とは必ずしも一致しない。「ながら視聴」では、テレビ受信機１で放送コンテンツを表示しながらスマートフォン等の携帯端末５０を操作するといったことが行われやすいため、このような不一致による弊害は、携帯端末５０において顕著にあらわれる。即ち、操作中の携帯端末５０においてユーザが意図しない通知が行われると、ユーザの利便性を著しく損なってしまう。
そのため、単に視聴履歴のみからユーザの属性情報（関心度）を特定することは好ましくない。
【００４９】
同様に、アプリケーションの操作履歴も放送コンテンツに対するユーザの興味とは必ずしも一致しない。即ち、例えば、サッカーゲームのアプリケーションをよく実行するユーザであっても、放送コンテンツ「サッカー中継」に興味を持っているとは必ずしもいえない。
そのため、単にアプリケーションの操作履歴のみからユーザの属性情報を特定することも好ましくない。
【００５０】
この点、本実施形態では、視聴履歴及び操作履歴に基づいて、放送コンテンツに対するユーザの関心度（属性情報）を特定する。即ち、ユーザ属性特定部２２は、放送コンテンツを視聴中にユーザが行ったアプリケーションの操作履歴に基づいて、ユーザの属性情報を特定する。
より具体的には、ユーザ属性特定部２２は、視聴履歴の視聴日時と操作履歴の操作日時とを紐づけ、放送コンテンツを視聴中に携帯端末５０において実行されたアプリケーションの種別及び実行中のアプリケーションに対する操作情報を特定する。そして、ユーザ属性特定部２２は、このアプリケーションの種別及び操作情報に基づいて、ユーザの属性情報を特定する。
【００５１】
ここで、図６を参照して、ユーザ属性特定部２２によるユーザの属性情報の特定方法について説明する。
図６Ａでは、放送コンテンツ「サッカー中継」を視聴中に、（Ａ）カテゴリ「端末連携」に属する連携アプリケーションが実行された携帯端末５０Ａ、（Ｂ）カテゴリ「ＳＮＳ」に属するメッセージアプリケーションが実行された携帯端末５０Ｂ、（Ｃ）カテゴリ「その他」に属するゲームアプリケーションが実行された携帯端末５０Ｃ、の各ユーザの属性情報の特定方法を示す。
【００５２】
図６Ａ（Ａ）を参照して、連携アプリケーションは、放送コンテンツと連携して動作する。そのため、連携アプリケーションに対して操作を行ったユーザは、放送コンテンツに対して興味を持っているものと想定される。そこで、ユーザ属性特定部２２は、連携アプリケーションに対する操作情報に基づいて、当該連携アプリケーションと連携する放送コンテンツに対して所定の重みづけをしてユーザの属性情報を特定する。
ユーザ属性特定部２２は、例えば、連携アプリケーションに対する操作の内容や操作回数に応じて関心度が異なるようにユーザの属性情報を特定する。一例として、ユーザ属性特定部２２は、操作回数が多いほど関心度が高くなるようにユーザの属性情報を特定する。他方、ユーザ属性特定部２２は、例えば、連携アプリケーションの終了操作が含まれる場合には、関心度が低くなるようにユーザの属性情報を特定する。
【００５３】
また、ユーザ属性特定部２２は、テレビ受信機１で放送コンテンツを表示中に行われた連携アプリケーション以外のアプリケーションに対する操作情報に基づいて、当該放送コンテンツに対して所定の重みづけをしてユーザの属性情報を特定する。
【００５４】
興味のある放送コンテンツである場合、ユーザは他のユーザとの間で情報の共有を望むことがある。そこで、図６Ａ（Ｂ）に示すように、放送コンテンツを視聴中にカテゴリ「ＳＮＳ」に属するアプリケーションが実行された場合、ユーザ属性特定部２２は、当該放送コンテンツに対して関心度が高くなるようにユーザの属性情報を特定する。
他方、放送コンテンツを視聴中にゲームアプリケーションが実行されている場合は、「ながら視聴」である可能性が高く、ユーザにとって興味のない放送コンテンツであると想定される。そこで、図６Ａ（Ｃ）に示すように、放送コンテンツを視聴中にカテゴリ「その他」に属するアプリケーションが実行された場合、ユーザ属性特定部２２は、当該放送コンテンツに対して関心度が低くなるようにユーザの属性情報を特定する。もちろん、放送コンテンツを視聴中にゲームアプリケーションの終了操作が行われた場合には、関心度が高くなるようにユーザの属性情報を特定することとしてもよい。
【００５５】
なお、図示しないものの、ユーザ属性特定部２２は、テレビ受信機１のリモコンとして機能するコンパニオンアプリに対するユーザの操作情報に基づいて、ユーザの属性情報を特定することとしてもよい。
また、各アプリケーションの操作の内容だけでなく、操作時間も加味してユーザの属性情報を特定することとしてもよい。この場合、操作時間が長いほど正負の重みづけが大きくなり、操作時間が短いほど正負の重みづけが小さくなる。
【００５６】
ところで、カテゴリ「ＳＮＳ」に属するアプリケーションであっても、メッセージの内容によっては放送コンテンツに対するユーザの興味が異なることがある。図６Ｂ（Ａ）では、放送コンテンツ「サッカー中継」を視聴中にメッセージアプリケーションにおいて「ゴォォール」といったサッカーに関連するメッセージが投稿されている。他方、図６Ｂ（Ｂ）では、放送コンテンツ「サッカー中継」を視聴中にメッセージアプリケーションにおいて「○社の・・・」のようにサッカーとは関連しない家電に関するメッセージが投稿されている。
【００５７】
このような場合、ユーザ属性特定部２２は、サッカーに関連するメッセージを投稿したユーザについては、放送コンテンツ「サッカー中継」に対する関心度が高くなるようにユーザの属性情報を特定し、家電に関するメッセージを投稿したユーザについては、放送コンテンツ「サッカー中継」に対する関心度が低くなるようにユーザの属性情報を特定することとしてもよい。
【００５８】
具体的には、ユーザ属性特定部２２は、操作情報に含まれる入力されたメッセージの内容を解析し、放送コンテンツに関連する内容であるか否かを判定する。そして、ユーザ属性特定部２２は、放送コンテンツに関連する内容である場合には関心度が高くなるようにユーザの属性情報を特定し、放送コンテンツに関連しない内容である場合には関心度が低くなるようにユーザの属性情報を特定する。
放送コンテンツに関連する内容であるか否かは、任意の方法により特定することとしてよく、ユーザ属性特定部２２は、例えば、メッセージに含まれるハッシュタグに基づいて、放送コンテンツに関連するか否かを特定することができる。また、ユーザ属性特定部２２は、メッセージに含まれるキーワードと放送コンテンツのカテゴリとの関係性から、放送コンテンツに関連するか否かを特定することができる。
【００５９】
図３に戻り、番組属性特定部２３は、放送受信部５又は通信部６を介して受信した放送コンテンツの属性情報（カテゴリ）を特定する。即ち、番組属性特定部２３は、テレビ受信機１で現在表示している放送コンテンツのカテゴリを特定する。一例として、番組属性特定部２３は、放送信号に含まれる番組識別情報（ＳＩ情報）に基づいて、現在表示している放送コンテンツのカテゴリを特定する。
【００６０】
第１判定部２４は、放送受信部５又は通信部６を介して受信した放送コンテンツに、端末連携を指示する指示情報が対応付けられているか否かを判定する。即ち、第１判定部２４は、表示中の放送コンテンツが端末連携可能な放送コンテンツであるか否かを判定する。
【００６１】
ここで、テレビ受信機１は、端末連携を指示する指示情報を任意の方法で取得することができる。例えば、ハイブリッドキャスト放送である場合、テレビ受信機１は、テレビ受信機１側のＨＴＭＬアプリのコンテンツから、端末連携を指示する指示情報を取得する。また、ＥＰＧ（Electronic  Program  Guide）等の電子番組表に予め端末連携に対応する放送コンテンツであることを設定しておくことが可能であれば、テレビ受信機１は、この電子番組表を解析することで端末連携を指示する指示情報を取得することができる。更に、昨今、インターネット上で番組表に関する情報を掲示しているサイトも多く存在するが、当該サイト上において端末連携に対応する放送コンテンツであることを示す様な情報が付与されている場合は、テレビ受信機１は当該サイトに掲載の番組表情報を解析することで端末連携を指示する指示情報を取得することもできる。
テレビ受信機１が指示情報を取得している場合、第１判定部２４は、表示中の放送コンテンツが端末連携可能な放送コンテンツであると判定する。
【００６２】
第２判定部２５は、記憶部４に記憶したユーザの属性情報を参照して、複数のユーザの中に番組属性特定部２３が特定した放送コンテンツの属性情報に対応する属性情報を有するユーザが存在するか否かを判定する。即ち、第２判定部２５は、携帯端末５０を所有する複数のユーザの中に、表示中の放送コンテンツに対して興味を持っているユーザが存在するか否かを判定する。
具体的には、第２判定部２５は、放送コンテンツの属性情報（カテゴリ）に対応するユーザの関心度（属性情報）を記憶部４から抽出し、関心度が所定閾値以上であるユーザが存在するか否かを判定する。そして、第２判定部２５は、関心度が所定以上であるユーザを、放送コンテンツの属性情報に対応する属性情報を有するユーザであると判定する。
【００６３】
通知部２６は、第１判定部２４により指示情報が対応付けられていると判定され、且つ、第２判定部２５により放送コンテンツの属性情報に対応する属性情報を有するユーザが存在すると判定されることを条件に、当該ユーザの携帯端末５０に対して、端末連携に対応する放送コンテンツが開始したことを通知する。
即ち、通知部２６は、表示中の放送コンテンツが端末連携可能な放送コンテンツである場合、この放送コンテンツに対して興味を持っているユーザが所有する携帯端末５０に対して、端末連携に対応する放送コンテンツが開始したことを通知する。他方、通知部２６は、表示中の放送コンテンツが端末連携可能な放送コンテンツである場合であっても、この放送コンテンツに対して興味を持っていないユーザが所有する携帯端末５０に対しては、通知を抑制する。
【００６４】
ここで、通知部２６による通知の一例を図７に示す。図７（Ａ）は、属性情報（関心度）が表示中の放送コンテンツの属性情報に対応するユーザの携帯端末５０に対する通知例を示し、図７（Ｂ）は、属性情報（関心度）が表示中の放送コンテンツの属性情報に対応しないユーザの携帯端末５０に対する通知例を示す。
【００６５】
図７（Ａ）に示すように、通知部２６は、放送コンテンツの属性情報に対応する属性情報を有するユーザ、即ち放送コンテンツに対して興味を持っているユーザの携帯端末５０に対して、端末連携に対応する放送コンテンツが開始したことを通知する。この通知を受けると、携帯端末５０では、表示部５３の所定領域に対して端末連携サービスが開始したことを通知する通知情報５０１を表示する。この通知情報５０１に従い、携帯端末５０のユーザが端末連携サービスの開始を選択すると、携帯端末５０の制御部５１は、コンパニオンアプリ（図２Ｂ参照）を起動し、端末連携サービスに伴うアプリケーション（ＨＴＭＬ５コンテンツ）を取得し、端末連携表示５０２として表示部５３に表示する。
これにより、テレビ受信機１を介して視聴中の放送コンテンツと連携するアプリケーションが、携帯端末５０において実行されることになる。
【００６６】
他方、通知部２６は、放送コンテンツの属性情報に対応しない属性情報のユーザ、即ち放送コンテンツに対して興味を持っていないユーザの携帯端末５０に対しては、図７（Ａ）とは異なる態様で端末連携に伴う通知を行う。
異なる態様は任意であるが、例えば、通知部２６は、放送コンテンツに対して興味を持っていないユーザの携帯端末５０に対しては、頻度を下げて通知することとしてもよい。また、通知部２６は、図７（Ｂ）に示すように、放送コンテンツに対して興味を持っていないユーザの携帯端末５０に対してＳＮＳを利用してメッセージを送付することで、端末連携に対応する放送コンテンツが開始したことを通知することとしてもよい。更に、通知部２６は、携帯端末５０の表示画面の所定位置に配置されているステータスバー上にメッセージが追加されたことを示すアイコンを表示することで、端末連携に対応する放送コンテンツが開始したことを通知することとしてもよい。
【００６７】
［テレビ受信機１の処理］
続いて、図８及び図９を参照して、テレビ受信機１で実行される処理の流れについて説明する。図８は、定期的に実行される属性特定処理の流れの一例を示すフローチャートであり、図９は、放送コンテンツを表示中に実行される端末連携処理の流れの一例を示すフローチャートである。
【００６８】
図８に示す属性特定処理では、初めに、テレビ受信機１の取得部２１は、複数の携帯端末５０の夫々から視聴履歴（ステップＳ１）及びアプリケーションの操作履歴（ステップＳ２）を取得する。
続いて、ユーザ属性特定部２２は、視聴履歴及び操作履歴に基づいて、放送コンテンツのカテゴリに対する携帯端末５０のユーザの属性情報（関心度）を特定する。具体的には、ユーザ属性特定部２２は、視聴履歴と操作履歴とを紐づけ、放送コンテンツを視聴中に実行されたアプリケーションの種別及び操作情報に基づいて、ユーザの属性情報を特定する。なお、視聴履歴と操作履歴との紐づけは、カテゴリ「ＳＮＳ」「その他」に属するアプリケーションについては、例えば、視聴日時及び操作日時により行うことができる。また、カテゴリ「端末連携」に属するアプリケーションについては、予め放送コンテンツと対応付けられたアプリケーションであるため、視聴日時や操作日時を参照することなく、紐づけを行うことができる。
【００６９】
次に、図９に示す端末連携処理では、初めに、テレビ受信機１の第１判定部２４は、テレビ受信機１で表示中の放送コンテンツに端末連携を指示する指示情報が含まれるか否かを判定する（ステップＳ１１）。この判定がＹＥＳの場合、番組属性特定部２３は、この放送コンテンツの属性情報を特定する（ステップＳ１２）。
【００７０】
続いて、第２判定部２５は、記憶部４に記憶したユーザの属性情報を参照して、ステップＳ１２で特定した放送コンテンツの属性情報とユーザの属性情報とを比較し（ステップＳ１３）、放送コンテンツの属性情報に対応する属性情報を有するユーザであるか否かを判定する（ステップＳ１４）。
このとき、放送コンテンツの属性情報に対応する属性情報のユーザが所有する携帯端末５０については、通知部２６は、端末連携に対応する放送コンテンツが開始したことを通知し（ステップＳ１５）、端末連携処理を終了する。他方、放送コンテンツの属性情報に対応しない属性情報のユーザが所有する携帯端末５０については、通知部２６は、通知頻度を調整する等のように通知態様を異ならせて、端末連携に対応する放送コンテンツが開始したことを通知し（ステップＳ１６）、端末連携処理を終了する。
【００７１】
以上、端末連携システムＳの一実施形態について説明した。なお、本実施形態の端末連携システムＳでは、端末連携に対応する放送コンテンツが開始した場合に、テレビ受信機１の制御により、ユーザに対する通知を異ならせることとしている。この点、ユーザに対する通知は、テレビ受信機１の制御ではなく、携帯端末５０の制御により、異ならせることとしてもよい。
テレビ受信機１の制御による場合、上述のようにテレビ受信機１から携帯端末５０に対する通知態様を制御することで、ユーザに対する通知を異ならせる。これに対して、携帯端末５０の制御による場合、テレビ受信機１から複数の携帯端末５０に対して一斉に通知を行う一方で、通知を受けた携帯端末５０においてユーザの属性情報に基づき表示態様を制御することで、ユーザに対する通知を異ならせる。
【００７２】
図１０に携帯端末５０の制御によりユーザに対する通知を異ならせる場合の、処理フローの一例を示す。
【００７３】
携帯端末５０では、任意のタイミングで操作履歴や視聴履歴をテレビ受信機１に対して送信する（ステップＳ３１）。携帯端末５０から操作履歴等を受信すると、テレビ受信機１では、操作履歴及び視聴履歴に基づいて携帯端末５０のユーザの属性情報（関心度）を特定し（ステップＳ４１）、携帯端末５０に返信する（ステップＳ４２）。
このステップＳ３１、Ｓ４１、Ｓ４２の処理は、定期的に行われる。即ち、ユーザの属性情報（関心度）は定期的に更新され、当該ユーザが所有する携帯端末５０内に記憶される。
【００７４】
その後、テレビ受信機１において端末連携の指示情報を取得すると（ステップＳ４３）、テレビ受信機１は、ペアリング済みの複数の携帯端末５０に対して、放送コンテンツの属性情報とともに指示情報を通知する（ステップＳ４４）。なお、放送コンテンツの属性情報は、番組識別情報（ＳＩ情報）等から任意のタイミングで取得しているものとする。このとき、テレビ受信機１では、ペアリング済みの複数の携帯端末５０に対して一斉に通知を行う。
【００７５】
この通知を受けると、携帯端末５０では、定期的に取得しているユーザの属性情報（関心度）と放送コンテンツの属性情報とを比較し、端末連携の指示情報に基づく表示制御を行う（ステップＳ３２）。即ち、放送コンテンツの属性情報に対してユーザが興味を持っている携帯端末５０では、端末連携サービスが開始したことを通知する通知情報を表示する。一方、放送コンテンツの属性情報に対してユーザが興味を持っていない携帯端末５０では、通知情報を表示する頻度を下げる等して、ユーザに対する通知を異ならせる。
【００７６】
このような処理によれば、携帯端末５０側の制御に基づいて、放送コンテンツに興味の有るユーザを誘導することができる。なお、図１０では、ユーザの属性情報（関心度）をテレビ受信機１側で特定することとしているが、これに限られるものではなく、ユーザの属性情報についても携帯端末５０側で特定することとしてもよい。
また、テレビ受信機１に記憶する情報や携帯端末５０に記憶する情報は、テレビ受信機１及び携帯端末５０に実行させる処理の内容によって適宜異なることとしてよい。即ち、携帯端末５０側でユーザの属性情報を特定し、且つ、携帯端末５０側の制御に基づいてユーザに対する通知を異ならせる場合には、テレビ受信機１において視聴履歴、操作履歴又はユーザの属性情報等を記憶しないこととしてもよい。
【００７７】
［テレビ受信機１の効果］
以上説明した本実施形態のテレビ受信機１によれば以下の効果を期待できる。
【００７８】
本発明のテレビ受信機１では、ペアリング済みの携帯端末５０のユーザの属性情報を記憶部４に記憶しておき、この記憶部４に記憶された情報を元にマルチユーザ管理を行いつつ、各ユーザへの通知を制御する。より具体的には、テレビ受信機１では、放送コンテンツを表示中に端末連携を指示する指示情報を取得すると、ペアリング済みの複数の携帯端末５０のうち、表示中の放送コンテンツに対して高い関心度を有するユーザの携帯端末５０に対して、端末連携に対応する放送コンテンツが開始したことを通知する。
【００７９】
これにより、端末連携に対応する放送コンテンツがテレビ受信機１で表示された場合に、当該放送コンテンツに興味を持つユーザに対して、その旨を通知することができる。そのため、放送コンテンツを視聴していないユーザであっても、当該放送コンテンツに興味を持つユーザに通知が行われることになるため、放送コンテンツに興味のあるユーザを放送コンテンツに誘導することができる。その結果、放送から通信だけでなく、通信から放送への誘導が可能になり、放送コンテンツの視聴数を増加させることができる。
【００８０】
このとき、テレビ受信機１では、放送コンテンツに対するユーザの関心度（属性情報）を、携帯端末５０で実行されたアプリケーションの操作履歴に基づいて特定する。より具体的には、テレビ受信機１は、放送コンテンツの視聴中に実行されたアプリケーション種別やその操作内容に基づいてユーザの属性情報を特定する。
これにより、放送コンテンツに対するユーザの関心度を適切に特定することができるため、放送コンテンツに興味のあるユーザを適切に誘導することができる。
【００８１】
一例として、放送コンテンツと連携する連携アプリケーションは、当該放送コンテンツに興味のないユーザは操作しないと想定される。そこで、テレビ受信機１では、連携アプリケーションの操作内容に基づいて属性情報を特定することで、放送コンテンツに対するユーザの関心度を適切に特定することができる。
【００８２】
同様に、連携アプリケーション以外のアプリケーションについても、放送コンテンツを視聴中の操作内容に応じて当該放送コンテンツに対するユーザの関心度を特定することができる。
例えば、放送コンテンツを視聴中に放送コンテンツに関連するメッセージが投稿されている場合には、このユーザは放送コンテンツに興味を持っていると捉えることができる。他方、放送コンテンツを視聴中にまったく関係のないゲームアプリケーション等が実行されている場合には、このユーザは放送コンテンツを「ながら視聴」しており、放送コンテンツに興味を持っていないと捉えることができる。
【００８３】
また、本発明のテレビ受信機１では、興味のないユーザに対しては通知を抑えることができるため、携帯端末５０を用いて他の操作を行っている場合等にユーザにとって興味のない通知を行うことがなく、ユーザの利便性を損なうことがない。
【００８４】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００８５】
例えば、テレビ受信機１の制御部が有する機能のうちの１部又は全部の機能を、携帯端末５０の制御部５１が有することとしてもよく、また、携帯端末５０の制御部５１が有する機能のうちの一部又は全部の機能を、テレビ受信機１の制御部が有することとしてもよい。
【００８６】
また、放送コンテンツを視聴するユーザは、チャンネルを頻繁に切り替えて視聴することがある（ザッピング視聴）。このようなザッピング視聴中に偶然切り替わった放送コンテンツがユーザに興味の有る放送コンテンツである場合、上記実施形態では、切り替わる度に通知が行われてしまう可能性がある。そこで、本発明では、ザッピング視聴に対する対策を含むこととしてもよい。
【００８７】
このような対策としては、例えば、同一の放送コンテンツが所定時間継続している場合に限り通知を行うことが考えられる。これにより、ザッピング視聴中に偶然切り替わった放送コンテンツに基づき通知が行われることを防止できる。
具体的には、テレビ受信機１は、放送コンテンツの継続表示時間を計時する。そして、継続表示時間が所定時間になると、当該放送コンテンツの属性情報に対応する属性情報を有するユーザの携帯端末５０に対して通知を行う、ことで実現することができる。
【００８８】
また、別対策としては、例えば、同一の放送コンテンツに基づいて一度通知を行ったら、所定時間経過しない限り、再度の通知を行わないことが考えられる。これにより、同一の放送コンテンツに複数回切り替わった場合であっても、ユーザに対する通知を抑えることができる。なお、所定時間は任意であるが、例えば、５分、１０分のような任意の時間であってもよく、また、通知を行った放送コンテンツが終了するまで（即ち、同一の放送コンテンツに対して通知は一度限り）のように放送コンテンツ単位であってもよい。また、これらを組み合わせ、任意の時間間隔での通知を所定回行った後は、同一の放送コンテンツに対して通知を行わないといったことであってもよい。
このような別対策は、テレビ受信機１側の制御により行うこととしてもよく、また、携帯端末５０側の制御により行うこととしてもよい。
【００８９】
テレビ受信機１側の制御により行う場合、テレビ受信機１は、ある放送コンテンツに基づいて一度通知を行うと、当該放送コンテンツに紐づけて時間を計時する。そして、計時した時間が所定時間になると、当該放送コンテンツの属性情報に対応する属性情報を有するユーザの携帯端末５０に対して通知を行う、ことで実現することができる。
また、携帯端末５０側の制御により行う場合、携帯端末５０では、テレビ受信機１から通知を受けるとユーザに対して端末連携サービスが開始したことを通知するとともに、当該放送コンテンツに紐づけて時間を計時する。そして、携帯端末５０では、所定時間計時するまでは、同一の放送コンテンツに基づく通知を受けても、ユーザに対する通知（通知情報の表示）を行わないように制御することで、ことで実現することができる。
【００９０】
また、上記実施形態では、ユーザ属性特定部２２は、放送コンテンツを視聴中に行われたアプリケーションに対する操作（操作の内容や操作回数）に応じてユーザの属性情報を特定することとしているが、これに限られるものではなく、放送コンテンツを視聴中の携帯端末５０の状態に基づいてユーザの属性情報を特定することとしてもよい。
ここで、携帯端末５０の状態は、例えば、携帯端末５０が備える加速度センサ（不図示）が検出した加速度に基づいて特定することができる。一例として、加速度センサが一定時間に亘って加速度を検出しない場合、携帯端末５０が操作されていないことが特定できる。
【００９１】
ユーザ属性特定部２２は、放送コンテンツを視聴中に実行されているアプリケーションの種別と、携帯端末５０の状態とから、ユーザの属性情報を特定する。例えば、連携アプリケーションが実行されている状態で、加速度センサが一定以上の加速度を頻繁に検出している場合、ユーザが連携アプリケーションを操作していると判定することができる。そこで、ユーザ属性特定部２２は、この放送コンテンツに対して関心度が高くなるようにユーザの属性情報を特定する。また、ゲームアプリケーションが実行されている状態で、加速度センサが一定時間に亘って加速度を検出しない場合、ユーザは、ゲームアプリケーションを放置して放送コンテンツを視聴している可能性があると判定することができる。そこで、ユーザ属性特定部２２は、この放送コンテンツに対して関心度が高くなるようにユーザの属性情報を特定する。
このように、本発明は、アプリケーションに対する操作だけでなく、加速度センサの検出結果と、実行されているアプリケーションの種別とに基づいてユーザの属性情報を特定することを含む。
【００９２】
また、上記実施形態では、テレビ受信機１や携帯端末５０で管理するユーザの属性情報のみを用いることとしている。この点、インターネットの普及した近年では、インターネット上に存在する外部サーバにおいてユーザの属性情報を管理していることがある。一例として、ユーザがＳＮＳサービス等を利用する場合、このＳＮＳサーバにおいて、ユーザの趣味等の属性情報を管理していることがある。そこで、本発明では、このような外部サーバが管理するユーザの属性情報を利用してユーザが興味のある放送コンテンツを特定することとしてもよい。
具体的には、ユーザ属性特定部２２は、任意のタイミングで外部サーバにアクセスし、当該外部サーバで管理するユーザの属性情報を取得する。そして、ユーザ属性特定部２２は、外部サーバから取得したユーザの属性情報に対して所定の重みづけを行った上で、テレビ受信機１や携帯端末５０で管理するユーザの属性情報と統合する。これにより、多様な情報を用いて放送コンテンツに対するユーザの関心度を特定することができ、好適である。
【符号の説明】
【００９３】
１・・・テレビ受信機、１Ａ・・・セットトップボックス、１Ｂ・・・表示装置、２・・・制御部、２１・・・取得部、２２・・・ユーザ属性特定部、２３・・・番組属性特定部、２４・・・第１判定部、２５・・・第２判定部、２６・・・通知部、３・・・無線部、４・・・記憶部、５・・・放送受信部、６・・・通信部、３０・・・放送局、５０・・・携帯端末
【図１】
2015186017.tif 000003
【図２Ａ】
2015186017.tif 000004
【図２Ｂ】
2015186017.tif 000005
【図３】
2015186017.tif 000006
【図４】
2015186017.tif 000007
【図５】
2015186017.tif 000008
【図６Ａ】
2015186017.tif 000009
【図６Ｂ】
2015186017.tif 000010
【図７】
2015186017.tif 000011
【図８】
2015186017.tif 000012
【図９】
2015186017.tif 000013
【図１０】
2015186017.tif 000014